(57)【要約】  クロージャは、スカート（４０）及びスカートに形成された内突起（４２）を含む。スカートは、外方凸形部分、及び外方凹形部分（４８，５０）を交互に含む波状の円周形状を有し、内突起は、スカートの外方凹形部分内に配置される。スカートは、好ましくは、クロージャの脱型中、内突起に加えられる外向きの力の結果、スカートの外方凸形状とらせるに十分に撓む。かくして、クロージャは、突起の移動経路を離れるために、金型コアの部分の移動を必要とすることなく、脱型作業中、金型コアから簡単に軸方向に分離される。突起は、好ましくは、クロージャの脱型をさらに容易にするために、スカートの自由縁部に向かって開口する、逆Ｕとして成形される。
2009501681.tif 000002
【特許請求の範囲】
【請求項１】
スカート（４０）及び前記スカートに設けられた内突起（４２）を含み、
前記スカートは、
外方凸形部分及び外方凹形部分（４８，５０）を交互に含む円周の波状輪郭を含み、
前記内突起は、前記外方凹形部分内に配置されていること、
を特徴とするクロージャ。
【請求項２】
前記スカート（４０）は、円周方向に連続である、
請求項１に記載のクロージャ。
【請求項３】
前記スカート（４０）は、クロージャの脱型中、前記突起（４２）に加えられる外向きの力の結果、前記外方凹形部分（５０）に外方凸形状を取らせるに十分に撓む、
請求項２に記載のクロージャ。
【請求項４】
前記突起（４２）は、前記スカート（４０）内から見たときに、各々前記スカートの自由縁部に向かって開口する逆Ｕとして成形される、
請求項１に記載のクロージャ。
【請求項５】
前記スカート（４０）は、前記クロージャから脆弱的に切り離せる、
請求項１に記載のクロージャ。
【請求項６】
容器との内係合のための、前記スカート（４０）から半径方向内方に間隔を隔てた環状壁（４４）を含む、
請求項１に記載のクロージャ。
【請求項７】
前記環状壁（４４）は、容器端部内のスナップ受けのための、円周方向に連続な外ポケット（６８）を有する、
請求項６記載のクロージャ。
【請求項８】
ワンピースの一体成形プラスチック構造のクロージャであって、
周囲スカート（４０）と一体のベース壁（３８）と、
前記スカートに設けられた内突起（４２）と、
前記スカート内で前記ベース壁から延びる環状壁（４４）と、
前記ベース壁に隣接して前記環状壁（４４）に設けられた円周方向に連続な外ポケット（６８）とを含み、
前記内突起が配置された前記スカートの少なくとも一部分（６２）は、前記クロージャから脆弱的に切り離せること、
を特徴とするクロージャ。
【請求項９】
前記スカート（４０）は、
外方凸形部分及び外方凹形部分（４８，５０）を交互に含む円周の波状輪郭を有し、
前記内突起は、前記外方凹形部分内に配置された、
請求項８に記載のクロージャ。
【請求項１０】
前記スカート（４０）は、円周方向に連続である、
請求項９に記載のクロージャ。
【請求項１１】
前記スカート（４０）は、
クロージャの脱型中、前記突起（４２）に加えられた外向きの力の結果、前記外方凹形部分（５０）に外方凸形状をとらせるに十分に撓む、
請求項１０に記載のクロージャ。
【請求項１２】
前記突起（４２）は、前記スカート（４０）内から見たときに、各々前記スカートの自由端に向かって開口する逆Ｕとして成形される、
請求項１１に記載のクロージャ。
【請求項１３】
チャイルドレジスタント操作モード及び非チャイルドレジスタント操作モードを有するパッケージにおいて、
開口端、及び前記開口端から間隔を隔てた少なくとも一つの外係合要素を有する容器（２２）と、
ベース壁（３８）、
前記ベース壁から延びるスカート（４０）、
チャイルドレジスタント操作モードにおいて、前記容器の前記少なくとも一つの外係合要素との係合のための、前記スカートに設けられた内係合要素（４２）、
前記クロージャの非チャイルドレジスタント操作モードのために、前記クロージャから切り離せる、前記内係合要素を収容する前記スカートの少なくとも一部分（６２）、
前記容器の前記開口端に係合する、前記スカート内で前記ベース壁から延びる環状壁（４４）、及び
非チャイルドレジスタント操作モードにおいて、前記容器の前記開口端にスナップ受けのために、前記ベース壁に隣接して前記環状壁の外面に形成された環状ポケット（６８）を有するクロージャと、を備えること、
を特徴とするパッケージ。
【請求項１４】
前記少なくとも一つの内係合要素（４２）は、角度間隔の内突起のアレイを含み、
前記スカートの前記一部分（６２）は、
外方凸形部分及び外方凹形部分（４８，５０）を交互に含む円周の波状輪郭を有し、
前記内突起は、前記外方凹形部分内に配置された、
請求項１３に記載のパッケージ。
【請求項１５】
前記スカートは、円周方向に連続である、
請求項１４に記載のパッケージ。
【請求項１６】
前記突起（４２）は、前記スカート内から見たときに、各々前記スカートの自由縁部に向かって開口する逆Ｕとして成形される、
請求項１５に記載のパッケージ。
【請求項１７】
開口端及び前記開口端のまわりの外突出部（２８）のアレイを有する容器（２２）と、
スカート（４０）、及び前記突出部に係合するための、前記スカートに設けられた内突起（４２）を含むクロージャと、を含み、
前記スカートは、
外方凸形部分及び外方凹形部分（４８，５０）を交互に含む円周の波状輪郭を有し、
前記内突起は、前記外方凹形部分内に配置されたこと、
を特徴とするパッケージ。
【請求項１８】
前記スカート（４０）は、円周方向に連続である、
請求項１７に記載のパッケージ。
【請求項１９】
前記突起（４２）は、前記スカート（４０）内から見たときに、各々前記スカートの自由縁部に向けて開口する逆Ｕとして成形される、
請求項１８に記載のパッケージ。
【請求項２０】
ワンピースの一体成形プラスチック構造のクロージャであって、クロージャ（２４）を成形することを含み、
前記クロージャは、スカート（４０）及び前記スカートに設けられた内突起（４２）を有し、前記スカートは、外方凸形部分及び外方凹形部分（４８，５０）を交互に含む円周の波状輪郭を有し、
前記内突起は、前記外方凹形部分内に配置されたこと、
を特徴とするクロージャの製造方法。
【請求項２１】
前記スカートは、クロージャの脱型中、前記突起（４２）に加えられた外向きの力の結果、前記外方凹形部分（５０）に外方凸形状をとらせるに十分撓む、
請求項２０に記載の製造方法。
【請求項２２】
前記スカート（４０）は、円周方向に連続である、
請求項２１記載の製造方法。
【請求項２３】
前記突起（４２）は、前記スカート内から見たときに、各々前記スカートの自由縁部に向かって開口する逆Ｕとして成形される、
請求項２１記載の製造方法。
【請求項２４】
ワンピースの一体成形プラスチック構造のクロージャであって、クロージャ（２４）を成型することを含み、
前記クロージャは、
周囲スカート（４０）を有するベース壁（３８）と、前記スカートに設けられた内突起（４２）と、前記スカート内で前記ベース壁から延びる環状壁（４４）と、前記ベース壁に隣接して前記環状壁に設けられた、円周方向に連続な外ポケット（６８）とを有し、前記内突起が配置される前記スカートの一部（６２）は、前記クロージャから脆弱的に切り離せるように形成されたこと、
を特徴とするクロージャの製造方法。
【請求項２５】
前記スカートは、外方凸形部分及び外方凹形部分（４８，５０）を交互に含む円周の波状輪郭を有し、前記内突起（４２）は、前記外方凹形部分内に配置された、
請求項２４に記載の製造方法。
【請求項２６】
前記スカート（４０）は、円周方向に連続である、
請求項２５に記載の製造方法。
【請求項２７】
前記スカート（４０）は、クロージャの脱型中、前記突起（４２）に加えられた外向きの力の結果、前記外方凹形部分（５０）に外方凸形状をとらせるに十分撓む、
請求項２６に記載の製造方法。
【請求項２８】
前記突起（４２）は、前記スカート内から見たときに、各々前記スカートの自由縁部に向けて開口する逆Ｕとして成形される、
請求項２７に記載の製造方法。
【発明の詳細な説明】
【技術分野】
【０００１】
本開示は、例えば、処方パッケージ等のチャイルドレジスタントクロージャ、及びパッケージ、並びにこのようなパッケージのためのクロージャの製造方法に関する。
【背景技術】
【０００２】
米国特許第４，０５７，１５９号、同第４，０５９，１９８号、及び同第４，４８５，９３２号は、容器又は瓶、クロージャ、及びクロージャと容器の間に配置された弾性／シールディスクを含む、処方チャイルドレジスタントパッケージを開示している。クロージャは、容器の口のまわりの外突出部に形成された、クロージャを容器に固定するための係止用ノッチと協同する、内突起をもったスカートを有する。クロージャの内当接部は、弾性／シールディスクと協同して容器からクロージャを押し離し、その結果、突起がノッチ内に弾性的に捕捉される。クロージャを取り外すことが望まれるとき、突起がノッチを離れてクロージャを回転させて容器から外れるように、クロージャを、容器に向って押さなければならない（及び／又は容器をクロージャに向って押さなければならない）。クロージャを容器に取り付けるときには、突起が突出部のノッチに嵌まり込むまで、突起は、弾性要素の力に抗して容器の突出部の凸面の下にカム係合する。
【発明の開示】
【発明が解決しようとする課題】
【０００３】
クロージャのスカートに形成された内突起は、クロージャを容易に容器から簡単に引き離すことができないように、比較的尖った輪郭のものでなければならない。この理由により、クロージャは、成形作業に続く金型コアから容易に簡単に軸方向に分離することができない。それどころか、金型コアは、典型的には、クロージャがコアから取り外されるとき、突起の軸方向移動経路を離れるため、コアの残部に関して回転する端部分を有する比較的複雑な構造のものでなければならない。本開示の一つの目的は、脱型作業中、金型コアからのクロージャの簡単な軸方向分離を容易にするように構成された、上記形式のクロージャを提供することにある。本開示の第１の目的とは別々に又は第１の目的と組み合わせて実行される本開示の他の目的は、チャイルドレジスタント操作モードから非チャイルドレジスタント操作モードに容易に変換できる、クロージャ及びパッケージを提供することにある。
【０００４】
本開示は、互いに別々に又は組み合わせて実行することができる複数の側面を含む。
【０００５】
本開示の一側面によるクロージャは、スカート、及びスカートに形成された内突起を含む。スカートは、外方凸形部分、及び外方凹形部分を交互に含む波状の円周形状を有し、内突起はスカートの外方凹形部分に配置される。スカートは、好ましくは、クロージャの脱型中、内突起に加えられる外向きの力の結果、スカートの外方凸形状とらせるに十分に撓む。かくして、クロージャは、突起の移動経路を離れるために、金型コアの部分の移動を必要とすることなく、脱型作業中、金型コアから簡単に軸方向に分離される。突起は、好ましくは、クロージャの脱型をさらに容易にするために、スカートの自由縁部に向かって開口する、逆Ｕ字として成形される。
【０００６】
本開示の他の側面によれば、チャイルドレジスタント操作又は非チャイルドレジスタント操作モードを有するパッケージは、開口端及び開口端から間隔を隔てた少なくとも一つの外係合要素を有する容器を含む。クロージャは、ベース壁、ベース壁から延びるスカート、及びスカートに形成され、チャイルドレジスタント操作モードにおいて、容器の少なくと一つの外係合要素と係合するための、少なくとも一つの内係合要素を有する。内係合要素を収容するスカートの少なくとも一部分は、クロージャの非チャイルドレジスタント操作モードのために、クロージャの残部から切り離せる。スカート内でベース壁から延びる環状壁は、容器の開口端に係合し、環状壁の外面には、非チャイルドレジスタント操作モードにおいて、容器の開口端のスナップ受けのための環状ポケットがベース壁に近接して配置される。本開示の例示的実施形態では、スカートの少なくとも一つの内係合要素は、角度間隔の内突起を含み、容器の少なくとも一つの外係合要素は、対応する数の外突出部と、面のノッチとを含む。しかしながら、係止用突起及び隙間を有する連結ねじのような他の係合要素も考えられる。
【０００７】
開示は、追加の目的、特徴、利点、及び側面と共に、以下の記載、添付された特許請求の範囲及び添付図面から最も良く理解されるであろう。
【発明を実施するための最良の形態】
【０００８】
図１乃至２は、開示の例示の実施形態に従って、チャイルドレジスタントパッケージ２０を、クロージャ２４を解放可能に取り付ける容器又は瓶２２を含むものとして示す。図１乃至４を参照すると、容器２２は、開口端を有する本体２６を含む。一連の外突出部２８が、容器の開口端から間隔を隔てた位置で、容器本体２６の外面のまわりに角度的に間隔を隔てた円周アレイをなして設けられている。各突出部２８は、カム部分３０、ノッチ３２、及び停止部３４を有する下面を含む。内ビード３５が容器の開口端のまわりに延びる。ビード３６は、好ましくは、図示されているように円周方向に連続している。容器２２は、射出成形又は吹き込み成形ポリプロピレンのような任意の適当な構造のものでもよい。容器本体２６の全体的な円筒形状が、例としてのみ示され、容器本体は、任意所望の形状のものでよい。
【０００９】
クロージャ２４（図１乃至２、及び５乃至１１）は、ベース壁３８を含み、そこから周囲スカート４０が延びる。スカート４０は、容器２２の外突出部２８との係合のために角度間隔及び位置に、内突起４２の円周方向アレイを有する。円周方向に連続の環状壁４４が、スカート４０から半径方向内方に間隔を隔てた位置でベース壁３８から延びる。環状壁４４は、クロージャ２４が容器に付けられるとき、容器の開口端との内係合のための外面４６を有する。かくして、図２の組み立て状態では、環状壁４４の外面４６は、容器の開口端と栓密封係合する。壁４４は、また、容器の壁の端部を半径方向外方に撓ませ、突起４２を突出部２８のノッチ３２内に保持する弾性力を提供する（開示の最も広義な側面に従って、容器の壁は、クロージャの壁を半径方向内方に撓ませてもよいし、及び／又は両方の壁が撓んでもよい）。パッケージ２０を開けるためには、クロージャ２４及び／又は容器２２を、容器の開口端に加えている環状壁４４の力に抗して互いに向かって軸方向に押し、ついには、突起４２がノッチ３２から離れ、この時点でクロージャ２４を、反時計回りに回転させて突出部２８から離れる。容器にクロージャを付けるためには、突起４２を回転させて突出部２８のカム面と係合させ、これに続いて継続的な回転により、内突起４２がノッチ３２に嵌まり込むまで、環状壁４４が、容器の端部を撓ませて半径方向外方に（及び／又はクロージャの壁を半径方向内方に）弾性的に拡張させる。クロージャ２４は、好ましくは、ポリプロピレンのようなワンピースの一体形成プラスチック構造のものである。
【００１０】
図５乃至１０に最もよく示されている、本開示の一側面によれば、クロージャのスカート４０は、角度間隔の外方凹形部分５０と外方凸形部分４８を交互に含む、波状の円周形状を有する。凸形部分４８及び凹形部分５０は、好ましくは、円周方向に連続的なスカート４０を構成し、そしてそれは、好ましくは、図７及び図１０で最もよく分かるように実質的に均一の肉厚のものである。突起４２は、スカートの外方凹形部分５０の内面、好ましくは中央に配置される。開示の図示した例示の実施形態では、互いに６０度の名目上等しい角度間隔で６つの突起４２がある。かくして、図示した実施形態では、６つの外方凸形部分４８と交互に、６つの外方凹形部分５０があり、部分４８，５０は、各々約３０度のアーチ形寸法を有する。クロージャを脱型中、突起４２は、金型コアから単純に軸方向に分離される。この分離作業中、金型コアから突起４２に加わる外方の力により、クロージャのスカート４０の外方凹形部分５０に外方凸形状をとらせ、これによりスカート４０は、脱型作業中、実質的に円筒形状になる。突起４２が金型コアから分離した後、スカート４０の弾性的な可撓性により、部分５０に、図に示す外方凹形状を再びとらせる。環状リップ５２（図７乃至１０）が、部分４８，５０を通って、スカート４０の自由端に沿って延びる。
【００１１】
図２、及び６乃至９で最もよく分かる本開示の他の側面によれば、各突起４２は、好ましくは、スカートの自由縁部に向かって下方に開口する、スカート４０内から見て逆Ｕの形状を有する（「上方」及び「下方」のような方向を示す用語は、説明のために採用され、図１乃至４、６、８乃至９、及び１１乃至１２に示すクロージャ、容器、及びパッケージの直立の向きに関して限定のためではない。「半径方向」及び「軸方向」のような方向を示す用語は、説明のために採用され、クロージャ、スカート、及び／又は容器の開口の軸線に関して限定のためではない）。かくして、各突起４２は、ブリッジ５８によって相互連結された一対の角度間隔の脚５４，５６を有する。突起４２の、下方に開口した中空内部を有する好ましい逆Ｕ形状は、クロージャの金型コアからの分離性をさらに高める。
【００１２】
本開示のさらに他の側面によれば、クロージャ２４は、好ましくは、図１及び２と関連して前述したチャイルドレジスタント操作モードから、図１２及び１３に示す非チャイルドレジスタント操作モードに変換できる。開示のこの側面によれば、クロージャのスカート４０は、好ましくは、クロージャのベース壁３８の周辺と連続する上部分６０、及び内部突起４２が配置された下部分６２を含む（下部分は、上述の開示の他の側面によれば、好ましくは円周の波状輪郭のものである、スカート４０の下部６２であり、一方、スカート部分６０は、好ましくは、円筒形である）。スカート下部分６２は、線６４（図２）に沿ってスカート上部分６０に、脆弱に連結される。開示の図示した実施形態では、筋６６がスカート４０の内面に成形され、且つクロージャのシェルに、線６４に沿ってミシン目が入れられたとき、脆弱なブリッジを形成する。別の方法として、筋６６が取り除かれてもよく、脆弱なブリッジが、単一又は二重のミシン目入れ作業で形成されてもよい。さらなる別の方法として、スカート部分６２は、クロージャの成形作業中に形成される脆弱ウェブ又はブリッジによって、スカート部分６０に脆弱的に連結され、クロージャの成形後のミシン目入れ作業を必要としない。
【００１３】
クロージャ２４は、スカート部分６２をクロージャの残部から切り離すことによって、図１及び２に示し、且つ上述したチャイルドレジスタント操作モードから図１２及び１３に示す非チャイルドレジスタント操作モードに変換される。これを、ユーザ又は包装者（例えば、薬剤師）が手でする。クロージャのスカート部分６２が取り除かれると（図１２及び１３）、クロージャ２４は、容器に、非チャイルドレジスタントスナップキャップのように取り付けられるようになる。好ましくは、ベース壁３８に隣接して環状壁４４の外面に配置された円周方向に連続の溝又はポケット６８が、容器の開口端部のまわりのビード３６をスナップ嵌めによって受け入れる。非チャイルドレジスタント操作モードでは、スカート部分６０は、容器の突出部２８の上面に当接する。環状壁４４の外面４６は、好ましくは、パッケージを密封するために、容器の壁の向かい合った内面と弾性密封係合状態にある。ベース壁３８は、好ましくは、少なくとも外側又は上面が平坦であり、パッケージの開け方、及び／又はパッケージを非チャイルドレジスタント操作に変換する方法を使用者に知らせる印が、ベース壁に成形され、又は適用されるのがよい。
【００１４】
かくして、先に述べた全ての目的及び意図を満たす、パッケージ、及び容器の製造方法が開示された。開示は、好適な実施形態と関連して説明され、多数の変形及び変更が論じられた。その他の変形又は変更は、以上の説明に照らして、当業者には容易に頭に浮かぶであろう。開示は、添付された特許請求の範囲の精神及び広い範囲に含まれるようなあらゆる変形及び変更を包含するものである。
【図面の簡単な説明】
【００１５】
【図１】実施例に従ったチャイルドレジスタントパッケージの側面図である。
【図２】図１に示すパッケージの一部分の拡大断片的断面図である。
【図３】図１及び２に示すパッケージの容器の断片的で一部断面側面図である。
【図４】図３の領域４の拡大断片断面図である。
【図５】図１及び２に示すパッケージの平面図である。
【図６】線６−６に沿った一部断面立面図である。
【図７】図５及び６に示すクロージャの底面図である。
【図８】線８−８に沿った一部断面図である。
【図９】線９−９に沿った断片断面図である。
【図１０】図７の領域１０の拡大平面図である。
【図１１】図６に示す部分の拡大断片平面図である。
【図１２】図１のパッケージが非チャイルドレジスタント操作モードにあるときの側面図である。
【図１３】図１２に示されたパッケージの一部拡大断片断面図である。
【図１】
2009501681.tif 000003
【図２】
2009501681.tif 000004
【図３】
2009501681.tif 000005
【図４】
2009501681.tif 000006
【図５】
2009501681.tif 000007
【図６】
2009501681.tif 000008
【図７】
2009501681.tif 000009
【図８】
2009501681.tif 000010
【図９】
2009501681.tif 000011
【図１０】
2009501681.tif 000012
【図１１】
2009501681.tif 000013
【図１２】
2009501681.tif 000014
【図１３】
2009501681.tif 000015
【手続補正書】
【提出日】平成20年3月14日(2008.3.14)
【手続補正１】
【補正対象書類名】特許請求の範囲
【補正対象項目名】全文
【補正方法】変更
【補正の内容】
【特許請求の範囲】
【請求項１】
円周方向に連続なスカート（４０）、及び前記スカートに形成された内突起（４２）を含み、
前記スカートは、均一の肉厚であり、且つ外方凸形部分及び外方凹形部分（４８，５０）を交互に含む波状の円周形状を有し、
前記内突起は、前記外方凹形部分内に配置されていること、
を特徴とするクロージャ。
【請求項２】
前記スカート（４０）は、前記クロージャの脱型中、前記突起（４２）に加えられる外向きの力の結果、前記外方凹形部分（５０）に外方凸形状を取らせるに十分に撓む、
請求項１に記載のクロージャ。
【請求項３】
前記突起（４２）は、前記スカート（４０）内から見たときに、各々前記スカートの自由縁部に向かって開口する逆Ｕとして成形される、
請求項１に記載のクロージャ。
【請求項４】
前記スカート（４０）は、前記クロージャから脆弱的に切り離せる、
請求項１に記載のクロージャ。
【請求項５】
容器との内係合のための、前記スカート（４０）から半径方向内方に間隔を隔てた環状壁（４４）を含む、
請求項１に記載のクロージャ。
【請求項６】
前記環状壁（４４）は、容器端部内のスナップ受けのための、円周方向に連続な外ポケット（６８）を有する、
請求項５に記載のクロージャ。
【請求項７】
開口端、及び前記開口端のまわりに外突出部（２８）のアレイを有する容器（２２）と、
円周方向に連続なスカート（４０）、及び前記突出部と係合するための、前記スカートに形成された内突起（４２）を含むクロージャ（２４）と、を含むパッケージであって、
前記スカートは、肉厚が均一であり、且つ外方凸形部分及び外方凹形部分（４８，５０）を交互に含む波状の円周形状を有し、
前記内突起は、前記外方凹形部分内に配置されていること、
を特徴とするパッケージ。
【請求項８】
前記突起（４２）は、前記スカート内から見たときに、各々前記スカートの自由縁部に向かって開口する逆Ｕとして成形される、
請求項７に記載のパッケージ。
【請求項９】
円周方向に連続なスカート（４０）及び前記スカートに形成された内突起（４２）を有する、ワンピースの一体成形プラスチック構造のクロージャ（２４）を成形することを含むクロージャの製造方法であって、
前記スカートは、均一の肉厚であり、且つ外方凸形部分及び外方凹形部分（４８，５０）を交互に含む波状の円周形状を有し、
前記内突起は、前記外方凹形部分内に配置されていること、
を特徴とする製造方法。
【請求項１０】
前記スカートは、クロージャの脱型中、前記突起（４２）に加えられる外向きの力の結果、前記外方凹形部分（５０）に外方凸形状を取らせるに十分に撓む、
請求項９に記載の製造方法。
【請求項１１】
前記突起（４２）は、前記スカート内から見たときに、各々前記スカートの自由縁部に向かって開口する逆Ｕとして成形される、
請求項１０に記載の製造方法。
【請求項１２】
ワンピースの一体成形プラスチック構造のクロージャであって、
周囲スカート（４０）と一体のベース壁（３８）と、
前記スカートに設けられた内突起（４２）と、
前記スカート内で前記ベース壁から延びる環状壁（４４）と、
前記ベース壁に隣接して前記環状壁に設けられた円周方向に連続な外ポケット（６８）とを含み、
前記内突起が配置された前記スカートの少なくとも一部分（６２）は、前記クロージャから脆弱的に切り離せること、
を特徴とするクロージャ。
【請求項１３】
前記スカート（４０）は、
外方凸形部分及び外方凹形部分（４８，５０）を交互に含む波状の円周形状を有し、
前記内突起は、前記外方凹形部分内に配置された、
請求項１２に記載のクロージャ。
【請求項１４】
前記スカート（４０）は、円周方向に連続である、
請求項１３に記載のクロージャ。
【請求項１５】
前記スカート（４０）は、クロージャの脱型中、前記突起（４２）に加えられる外向きの力の結果、前記外方凹形部分（５０）に外方凸形状を取らせるに十分に撓む、
請求項１４に記載のクロージャ。
【請求項１６】
前記突起（４２）は、前記スカート（４０）内から見たときに、各々前記スカートの自由端に向かって開口する逆Ｕとして成形される、
請求項１５に記載のクロージャ。
【請求項１７】
チャイルドレジスタント操作モード及び非チャイルドレジスタント操作モードを有するパッケージであって、
開口端、及び前記開口端から間隔を隔てた、少なくとも一つの外係合要素を有する容器（２２）と、
ベース壁（３８）、
前記ベース壁から延びるスカート（４０）、
チャイルドレジスタント操作モードにおいて、前記容器の前記少なくとも一つの外係合要素との係合のための、前記スカートに設けられた内係合要素（４２）、
前記クロージャの非チャイルドレジスタント操作モードのために、前記クロージャから切り離せる、前記内係合要素を収容する前記スカートの少なくとも一部分（６２）、
前記容器の前記開口端に係合する、前記スカート内で前記ベース壁から延びる環状壁（４４）、及び
非チャイルドレジスタント操作モードにおいて、前記容器の前記開口端にスナップ受けのために、前記ベース壁に隣接して前記環状壁の外面に形成された環状ポケット（６８）を有するクロージャと、含むこと、
を特徴とするパッケージ。
【請求項１８】
前記少なくとも一つの内係合要素（４２）は、角度間隔の内突起のアレイを含み、
前記スカートの前記一部分（６２）は、
外方凸形部分及び外方凹形部分（４８，５０）を交互に含む波状の円周形状を有し、
前記内突起は、前記外方凹形部分内に配置された、
請求項１７に記載のパッケージ。
【請求項１９】
前記スカートは、円周方向に連続である、
請求項１８に記載のパッケージ。
【請求項２０】
前記突起（４２）は、前記スカート内から見たときに、各々前記スカートの自由縁部に向かって開口する逆Ｕとして成形される、
請求項１９に記載のパッケージ。
【請求項２１】
ワンピースの一体成形プラスチック構造のクロージャであって、クロージャ（２４）を成形することを含み、
前記クロージャは、周囲スカート（４０）と一体のベース壁（３８）と、前記スカートに設けられた内突起（４２）と、前記スカート内で前記ベース壁から延びる環状壁（４４）と、前記ベース壁に隣接して前記環状壁に設けられた円周方向に連続な外ポケット（６８）とを有し、前記内突起が配置された前記スカートの少なくとも一部分（６２）は、前記クロージャから脆弱的に切り離せること、
を特徴とするクロージャの製造方法。
【請求項２２】
前記スカート（４０）は、外方凸形部分及び外方凹形部分（４８，５０）を交互に含む波状の円周形状を有し、前記内突起（４２）は、前記外方凹形部分内に配置された、
請求項２１に記載の製造方法。
【請求項２３】
前記スカート（４０）は、円周方向に連続である、
請求項２２に記載の製造方法。
【請求項２４】
前記スカート（４０）は、クロージャの脱型中、前記突起（４２）に加えられた外向きの力の結果、前記外方凹形部分（５０）に外方凸形状をとらせるに十分に撓む、
請求項２３に記載の製造方法。
【請求項２５】
前記突起（４２）は、前記スカート内から見たときに、各々前記スカートの自由縁部に向けて開口する逆Ｕとして成形される、
請求項２４に記載の製造方法。
【国際調査報告】
2009501681.tif 000016
2009501681.tif 000017
2009501681.tif 000018
2009501681.tif 000019